(57)【要約】【課題】バリスタ等の非線形素子やスイッチの選定範囲を拡大することで、スイッチの過剰仕様等を防ぐことができる過電圧抑制回路を提供する。【解決手段】電源と負荷とを接続する主回路の主スイッチに対して並列接続される過電圧抑制回路であって、互いに直列接続された非線形素子及び第１補助スイッチと、前記非線形素子及び前記第１補助スイッチに並列接続され、且つ互いに直列接続された第１分圧抵抗器、第２分圧抵抗器及び第２補助スイッチを備える分圧回路部とを備え、前記第１分圧抵抗器と前記第２分圧抵抗器との間の分圧点が、前記第１補助スイッチと前記非線形素子との間の接続点に接続されているようにした。【選択図】図１
2020036307.tif 000002
【特許請求の範囲】
【請求項１】
電源と負荷とを接続する主回路の主スイッチに対して並列接続される過電圧抑制回路であって、
互いに直列接続された非線形素子及び第１補助スイッチと、
前記非線形素子及び前記第１補助スイッチに並列接続され、且つ互いに直列接続された第１分圧抵抗器、第２分圧抵抗器及び第２補助スイッチを備える分圧回路部と
を備え、
前記第１分圧抵抗器と前記第２分圧抵抗器との間の分圧点が、前記第１補助スイッチと前記非線形素子との間の接続点に接続されている過電圧抑制回路。
【請求項２】
前記主スイッチのターンオフ時において、前記第１補助スイッチがオンであり、且つ前記第２補助スイッチがオフである第１状態になっており、その後、前記第１補助スイッチがオフであり、且つ前記第２補助スイッチがオンである第２状態になるように構成された請求項１記載の過電圧抑制回路。
【請求項３】
前記主スイッチのターンオン時において、前記第１補助スイッチがオフであり、且つ前記第２補助スイッチがオンである第２状態になっており、その後、前記第１補助スイッチがオンであり、且つ前記第２補助スイッチがオフである第１状態になるように構成された請求項１又は２記載の過電圧抑制回路。
【請求項４】
前記第１補助スイッチが前記非線形素子の正側に接続されており、
前記非線形素子及び第１補助スイッチに直列接続され、且つ前記分圧回路部に並列接続されたものであって、前記接続点よりも前記第１補助スイッチ側に配置され、その順方向が前記非線形素子を向くダイオードを更に備える、請求項１乃至３のうち何れか一項に記載の過電圧抑制回路。
【請求項５】
電源と負荷とを接続する主回路に設けられた主スイッチと、
前記主スイッチに対して並列接続される過電圧抑制回路とを備え、
前記過電圧抑制回路が、
互いに直列接続された非線形素子及び第１補助スイッチと、
前記非線形素子及び前記第１補助スイッチに並列接続され、且つ互いに直列接続された第１分圧抵抗器、第２分圧抵抗器及び第２補助スイッチを備える分圧回路部とを備え、
前記第１分圧抵抗器と前記第２分圧抵抗器との間の分圧点が、前記第１補助スイッチと前記非線形素子との間の接続点に接続されている直流遮断装置。
【発明の詳細な説明】
【技術分野】
【０００１】
本発明は、過電圧抑制回路及びこの過電圧抑制回路を用いた直流遮断装置に関するものである。
【背景技術】
【０００２】
従来の過電圧抑制回路としては、特許文献１に示すように、電源と負荷とを接続する主回路に設けられたスイッチを過電圧から保護するものがある。具体的にこの過電圧抑制回路は、スイッチに並列接続されたサージアブソーバたるバリスタを備えており、スイッチをオフすることにより生じる過電圧をバリスタが吸収するように構成されている。
【０００３】
ところで、一般にバリスタ等の非線形素子の特性として、長時間連続的に印加（使用）できる最大の電圧である最大許容回路電圧Ｖ１と、サージ電圧を吸収して、ある程度低い電圧までサージ電圧を下げることができる最大の電圧である最大制限電圧Ｖ２との間に、Ｖ１×２＜Ｖ２といった関係があることが知られている。
【０００４】
このことから、例えば、主回路の回路電圧が７００Ｖであったとすると、この主回路に設けられたスイッチを過電圧から保護しようとする場合、バリスタとしては、まず最大許容回路電圧Ｖ１が７００Ｖより高いものを選定する必要がある。これにより、バリスタの最大制限電圧Ｖ２は１４００Ｖよりも高くなるので、スイッチとしては定格電圧が最大制限電圧Ｖ２よりも高い、例えば定格電圧が１７００Ｖ程度のものを選定する必要がある。その結果、スイッチの定格電圧は、主回路の回路電圧７００Ｖよりも過大となり、スイッチが過剰仕様となる。
【０００５】
一方、スイッチとして定格電圧が低いものを用いると、バリスタとして最大制限電圧Ｖ２が低いものを選定することとなり、バリスタの最大許容回路電圧Ｖ１が低くなる。その結果、バリスタの最大許容回路電圧Ｖ１が主回路の回路電圧を下回る場合には、バリスタが過熱等により破壊されてしまう。
【０００６】
このように、スイッチの定格電圧を下げようとすることと、回路電圧に対するバリスタの使用を担保しようとすることとは相反する関係にある。従って、スイッチやバリスタの選定範囲は制約されてしまい、スイッチの過剰仕様などによるコストの増大を招来する恐れがある。
【先行技術文献】
【特許文献】
【０００７】
【特許文献１】特開２０１０−２３８３９１号公報
【発明の概要】
【発明が解決しようとする課題】
【０００８】
そこで本発明は、上記問題点を解決すべくなされたものであり、バリスタ等の非線形素子やスイッチの選定範囲を拡大することで、スイッチの過剰仕様等を防ぐことをその主たる課題とするものである。
【課題を解決するための手段】
【０００９】
すなわち本発明に係る過電圧抑制回路は、電源と負荷とを接続する主回路の主スイッチに対して並列接続されるものであって、互いに直列接続された非線形素子及び第１補助スイッチと、前記非線形素子及び前記第１補助スイッチに並列接続され、且つ互いに直列接続された第１分圧抵抗器、第２分圧抵抗器及び第２補助スイッチを備える分圧回路部とを備え、前記第１分圧抵抗器と前記第２分圧抵抗器との間の分圧点が、前記第１補助スイッチと前記非線形素子との間の接続点に接続されていることを特徴とする。
【００１０】
このように構成された過電圧抑制回路では、主スイッチのターンオフ時において、第１補助スイッチがオンであり且つ第２補助スイッチがオフである状態にすることで、主スイッチをターンオフすることにより生じる過電圧は非線形素子によってまず吸収される。そしてその後、第１補助スイッチをオフするとともに第２補助スイッチをオンして過電圧吸収後の待機状態にすることで、非線形素子は分圧抵抗たる第１分圧抵抗器又は第２分圧抵抗器の一方と並列接続されるので、非線形素子には主回路の回路電圧が抵抗分圧されて印加されることになる。この抵抗分圧された電圧は主回路の回路電圧よりも当然小さいため、非線形素子の最大許容回路電圧を当該回路電圧よりも大きくする必要がない。
これにより、非線形素子の選定において、最大許容回路電圧の制約が緩和されるので、非線形素子の選定範囲を拡大することができる。そのため、非線形素子として最大制限電圧が低いものを用いることで、主スイッチとしても定格電圧が低いものを選定することができ、主スイッチの過剰仕様を防ぐことができる。
【００１１】
具体的な実施態様としては、前記主スイッチのターンオフ時において、前記第１補助スイッチがオンであり、且つ前記第２補助スイッチがオフである第１状態になっており、その後、前記第１補助スイッチがオフであり、且つ前記第２補助スイッチがオンである第２状態になるように構成されている態様が挙げられる。
【００１２】
ここで、負荷装置と主回路とを接続するべく、主スイッチをターンオンすることを考えると、主スイッチのオン動作により突入過電流が生じる恐れがあり、この突入過電流により負荷装置の故障や機能喪失を招来することが懸念される。
この突入過電流を抑制する方法としては、主スイッチとは別に、突入過電流抑制回路を例えば主スイッチに並列接続することが考えられるが、そうすると直流遮断装置が大型化してしまう。
【００１３】
そこで、装置の大型化を避けつつも、突入過電流を抑制できるようにするためには、前記主スイッチのターンオン時において、前記第１補助スイッチがオフであり、且つ前記第２補助スイッチがオンである第２状態になっており、その後、前記第１補助スイッチがオンであり、且つ前記第２補助スイッチがオフである第１状態になるように構成されていることが好ましい。
このような構成であれば、主スイッチをオンすることで、分圧回路部を介して負荷装置が接続されるので、突入過電流を抑制することができる。これにより、上述した過電圧抑制回路に突入過電流抑制回路としての機能を備えさせることができ、装置の大型化を避けつつも、突入過電流を抑制することができる。
【００１４】
しかも、主スイッチのターンオン時において第２状態になっているので、主スイッチのターンオン動作時において非線形素子に主回路の回路電圧が常に印加されないようにすることができる。
【００１５】
ところで、前記過電圧抑制回路を例えば第２状態から第１状態に切り替える等により、オフ状態にある第１補助スイッチをターンオンすると、非線形素子の静電容量に蓄積された静電エネルギが放電され、主スイッチの定格を上回る突入電流が発生する恐れがある。
そこで、前記第１補助スイッチが前記非線形素子の正側に接続されており、前記非線形素子及び第１補助スイッチに直列接続され、且つ前記分圧回路部に並列接続されたものであって、前記接続点よりも前記第１補助スイッチ側に配置され、その順方向が前記非線形素子を向くダイオードを更に備えることが好ましい。
このような構成であれば、第１補助スイッチをオンすることにより生じる放電電流にとってダイオードは逆バイアスとなるため、当該放電電流は、第１分圧抵抗器又は第２分圧抵抗器のうち当該ダイオードに並列接続されている分圧抵抗器に流れて消費される。これにより、第１補助スイッチをオンする際に主スイッチに定格を上回る突入電流が流れ込むことを防ぐことができる。
【００１６】
また本発明に係る直流遮断装置は、電源と負荷とを接続する主回路に設けられた主スイッチと、前記主スイッチに並列接続された過電圧抑制回路であって、互いに直列接続された非線形素子及び第１補助スイッチと、前記非線形素子及び前記第１補助スイッチに並列接続され、且つ互いに直列接続された第１分圧抵抗器、第２分圧抵抗器及び第２補助スイッチを備える分圧回路部とを備え、前記第１分圧抵抗器と前記第２分圧抵抗器との間の分圧点が、前記第１補助スイッチと前記非線形素子との間の接続点に接続されており、前記主スイッチのターンオフ時において、前記第１補助スイッチがオンであり、且つ前記第２補助スイッチがオフである第１状態になっており、その後、前記第１補助スイッチがオフであり、且つ前記第２補助スイッチがオンである第２状態になるように構成されていることを特徴とする。
【発明の効果】
【００１７】
このように構成した本発明によれば、バリスタ等の非線形素子やスイッチの選定範囲を拡大することで、スイッチの過剰仕様等を防ぐことができる。
【図面の簡単な説明】
【００１８】
【図１】本実施形態の直流遮断装置の回路構成を模式的に示す図。
【図２】同実施形態の直流遮断装置の動作を説明するためのフローチャート。
【図３】同実施形態の直流遮断装置の遮断時の電圧及び電流の時間変化を概略的に示すグラフ。
【図４】同実施形態の直流遮断装置の閉路時の電圧及び電流の時間変化を概略的に示すグラフ。
【図５】同実施形態の直流遮断装置の第１状態及び第２状態における回路状態を模式的に示す図。
【発明を実施するための形態】
【００１９】
以下に、本発明に係る過電圧抑制回路を有する直流遮断装置の一実施形態について、図面を参照して説明する。
【００２０】
＜直流遮断装置の構成＞
本実施形態の直流遮断装置１００は、図１に示すように、直流電源等の電源２００と負荷（不図示）とを接続する主回路３００に設けられ、負荷への直流電力の供給及び遮断を切り替えるものである。
【００２１】
具体的にこの直流遮断装置１００は、直流電力の供給及び遮断を切り替える主スイッチ１０１と、主スイッチ１０１に対して並列に設けられた過電圧抑制回路１０２とを具備している。
【００２２】
主スイッチ１０１は、電源２００と負荷とを接続する主回路３００に設けられた例えば半導体スイッチ素子等の遮断器であり、図示しない制御装置により制御されるゲート駆動回路によって開閉駆動される。主回路３００における主スイッチ１０１の両側（正側及び負側）には、ラインスイッチＳＷ等の開閉スイッチが設けられている。
【００２３】
過電圧抑制回路１０２は、主スイッチ１０１の遮断時に生じる過電圧を抑制するものである。具体的には、転流回路部１０及び分圧回路部２０を備えている。
【００２４】
転流回路部１０は、主スイッチ１０１に対して並列接続され、且つ互いに直列接続された第１補助スイッチ１１と、非線形素子１２とを有している。第１補助スイッチ１１は、例えば半導体スイッチである。非線形素子１２は、印加された電圧と当該素子に流れる電流とが比例しない素子であり、例えばＺｎＯなどのセラミックスを用いて構成されたバリスタである。以下、説明の便宜上、非線形素子１２をバリスタ１２ともいう。
なお、第１補助スイッチ１１及びバリスタ１２は、上述したラインスイッチＳＷに対しては直列接続されており、ここでは第１補助スイッチ１１がバリスタ１２の正側に配置されている。
【００２５】
分圧回路部２０は、バリスタ１２に印加される主回路３００の回路電圧を分圧するものである。この分圧回路部２０は転流回路部１０に並列接続されており、具体的には、互いに直列接続された第１分圧抵抗器２１と、第２分圧抵抗器２２と、第２補助スイッチ２３とを有している。第１分圧抵抗器２１と第２分圧抵抗器２２との間に設定された分圧点Ｐが、転流回路部１０の第１補助スイッチ１１とバリスタ１２との間に設定された接続点Ｑに接続されている。
【００２６】
ここでは、第２分圧抵抗器２２の正側に第２補助スイッチ２３が配置され、第２補助スイッチ２３の正側に第１分圧抵抗器２１が配置されている。これにより、第１分圧抵抗器２１は、バリスタ１２に直列接続され、且つ第１補助スイッチ１１に並列接続されている。そして第２分圧抵抗器２２及び第２補助スイッチ２３は、第１補助スイッチ１１に直列接続され、且つバリスタ１２に並列接続されている。
【００２７】
第１分圧抵抗器２１と第２分圧抵抗器２２とはそれぞれ所定の抵抗値を有している。ここでは、第１分圧抵抗器２１の抵抗値Ｒ１と第２分圧抵抗器２２の抵抗値Ｒ２とが同じ大きさになるものを選定している。第２補助スイッチ２３は、例えば半導体スイッチである。
【００２８】
本実施形態の過電圧抑制回路１０２は、バリスタ１２及び第１補助スイッチ１１に直列接続され、第１分圧抵抗器２１に並列接続されたダイオード３０を更に有している。ダイオード３０は、具体的には第１補助スイッチ１１と接続点Ｑとの間であって、その順方向がバリスタ１２を向くように配置されている。なお、ダイオード３０は、第１補助スイッチ１１の正側に配置されていてもよい。
【００２９】
しかして、本実施形態の過電圧抑制回路１０２は、主スイッチ１０１のターンオフ時（遮断時ともいう）において、第１補助スイッチ１１がオンであり、且つ第２補助スイッチ２３がオフである第１状態になっており、その後、第１補助スイッチ１１がオフであり、且つ第２補助スイッチ２３がオンである第２状態になるように構成されている。
【００３０】
ここでは過電圧抑制回路１０２は、主スイッチ１０１のターンオフ後において、第１状態から第２状態に直接切り替わるように構成されている。すなわち、第１補助スイッチ１１のターンオフと同時のタイミングで第２補助スイッチ２３がターンオンするように構成されている。
【００３１】
過電圧抑制回路１０２は、主スイッチ１０１をターンオフしてから、所定時間経過後に第１状態から第２状態に切り替わるように構成されている。この所定時間は、例えば主スイッチ１０１をターンオフすることにより生じる過電圧がバリスタ１２によって吸収されるのに十分な時間である。
【００３２】
また本実施形態の過電圧抑制回路１０２は、主スイッチ１０１のターンオン時（閉路時ともいう）においては第２状態になっており、その後、第１状態になるように構成されている。
【００３３】
ここでは過電圧抑制回路１０２は、主スイッチ１０１のターンオン後において、第２状態から第１状態に直接切り替わるように構成されている。すなわち、第１補助スイッチ１１のターンオンと同時のタイミングで第２補助スイッチ２３がターンオフするように構成されている。
なお過電圧抑制回路１０２は、主スイッチ１０１をターンオンしてから所定時間経過後に第２状態から第１状態に切り替わるように構成されている。
【００３４】
＜直流遮断装置１００の動作＞
続いて、本実施形態の直流遮断装置１００の動作について、図２〜図５を参照して説明する。
【００３５】
まず、主スイッチ１０１がオンであって、第１補助スイッチ１１がオンかつ第２補助スイッチ２３がオフ（すなわち第１状態）であり、電源２００からの電力を負荷に供給している状態において、電流検出器（不図示）によって例えば負荷の短絡等により生じる過電流を検出する（ステップＳ１）。
【００３６】
過電流が検出されると、制御装置（不図示）が主スイッチ１０１をターンオフする（ステップＳ２）。これにより、主スイッチ１０１の遮断時において主回路３００を構成する配電線のインピーダンスＬ（図１参照）に起因した過電圧が生じ、図５の（ａ）に示すように、遮断電流Ｉｓがバリスタ１２に流れ込む（転流する）。つまり、主スイッチ１０１のターンオフ時において生じる過電圧はバリスタ１２によって吸収される。
【００３７】
ここでバリスタ１２の選定において、図３に示すように、主スイッチ１０１の遮断により生じる遮断電流Ｉｓが流れることで発生する電圧Ｖａが主スイッチ１０１の定格電圧Ｖｘよりも低くなるように、バリスタ１２を選定している。
逆に言えば、主スイッチ１０１の選定においては、選定したバリスタ１２に遮断電流Ｉｓが流れることにより発生する電圧Ｖａよりも定格電圧Ｖｘが高くなるように、主スイッチ１０１を選定すればよい。
【００３８】
主スイッチ１０１のターンオフにより生じる過電圧がバリスタ１２によって吸収された後は、バリスタ１２には主回路３００の電源２００からの印加電圧Ｖｙ（以下、回路電圧Ｖｙという）による電流が流れることになる。ここでは図３に示すように、この電流が零電流又は零電流付近になるような電圧特性を有するバリスタ１２を選定している。
【００３９】
その後、バリスタ１２に流れる電流が零電流又は零電流付近になった状態において、第１補助スイッチ１１をターンオフするとともに第２補助スイッチ２３をターンオンする（すなわち、第１状態から第２状態に切り替える）ことで（ステップＳ３）、過電圧を発生させることなく主回路３００の遮断動作が完了する。ここでは、主スイッチ１０１のターンオフから所定時間経過後、第１状態から第２状態に直接切り替えるようにしている。
なお、保守などによる主スイッチ１０１の切り離しを行うべく、第１状態から第２状態に切り替えた後にラインスイッチＳＷをオフにしてもよい。
【００４０】
この第２状態においては、図３及び図５の（ｂ）に示すように、回路電圧Ｖｙは、第１分圧抵抗器２１の抵抗値Ｒ１と第２分圧抵抗器２２の抵抗値Ｒ２の大きさに比例して分圧される。具体的には、第１分圧抵抗器２１には電圧Ｖ１（ここで、Ｖ１＝Ｖｙ×Ｒ１／（Ｒ１＋Ｒ２））が印加され、バリスタ１２と第２分圧抵抗器２２には、電圧Ｖ２（ここで、Ｖ２＝Ｖｙ×Ｒ２／（Ｒ１＋Ｒ２））が印加される。ここでは抵抗値Ｒ１と抵抗値Ｒ２とが同じ大きさになるように第１分圧抵抗器２１と第２分圧抵抗器２２を選定しているので、電圧Ｖ１と電圧Ｖ２の大きさは、ともに回路電圧Ｖｙの大きさの半分になる（Ｖ１＝Ｖ２＝０．５×Ｖｙ）。
【００４１】
次に、過電圧抑制回路１０２が第２状態になっており、主回路３００が遮断されている状態において、制御装置（不図示）が電力供給の開始を示す供給開始信号を取得すると（ステップＳ４）、当該制御装置は、主スイッチ１０１をターンオンする（ステップＳ５）。主スイッチ１０１のターンオンから所定時間経過後に、第１補助スイッチ１１をターンオンするとともに第２補助スイッチ２３をターンオフする（すなわち、第２状態から第１状態に切り替える）（ステップＳ６）。
なお、このときラインスイッチＳＷは予めオンされている状態である。
【００４２】
上記ステップＳ６において第１補助スイッチ１１をターンオンする際、バリスタ１２を構成する図示しない静電容量に蓄積された静電エネルギが放電される。そこで本実施形態では、第１分圧抵抗器２１に並列接続されたダイオード３０を設けることで、第１補助スイッチ１１をオンする際に生じる過電流が主スイッチ１０１に流れ込むことを抑制するようにしてある。
具体的には、ダイオード３０が、第１補助スイッチ１１をオンすることにより生じる放電電流にとって逆バイアスとなるため、当該放電電流は、第１分圧抵抗器２１に流れて消費される。
【００４３】
＜本実施形態の効果＞
このように構成された直流遮断装置１００によれば、主スイッチ１０１のターンオフ時には過電圧抑制回路１０２が第１状態になっているので、主スイッチ１０１をターンオフすることにより生じる過電圧をバリスタ１２によって吸収することができる。そしてその後、主スイッチ１０１のターンオフ後の待機状態ともいえる第２状態では、バリスタ１２は分圧抵抗たる第２分圧抵抗器２２と並列接続されるので、バリスタ１２には主回路３００の回路電圧Ｖｙが抵抗分圧された電圧Ｖ２が印加されることになる。この分圧された電圧は主回路３００の回路電圧Ｖｙよりも当然小さくなるので、バリスタ１２の最大許容回路電圧を回路電圧Ｖｙよりも大きくする必要がない。これにより、バリスタ１２の選定において最大許容回路電圧の制約が緩和されるので、バリスタ１２の選定範囲を拡大することができる。
【００４４】
また、主スイッチ１０１を遮断することにより生じる過電圧を、バリスタ１２を用いて吸収しているので、主スイッチ１０１としてはバリスタ１２の最大制限電圧よりも定格電圧が高いものであればよく、主スイッチ１０１の過剰仕様を避けることができる。
【００４５】
さらに、第１分圧抵抗器２１に並列接続されたダイオード３０によって、第１補助スイッチ１１をオンすることにより生じる放電電流が消費されるので、第１補助スイッチ１１をオンする際に、主スイッチ１０１に定格を上回る突入電流が流れ込むことを防ぐことができる。
【００４６】
加えて、過電流抑制回路１０２は、主スイッチ１０１のターンオン時において、第２状態になっており、その後、第１状態になるように構成されているので、主スイッチ１０１のターンオン動作により、分圧回路部２０を介して負荷装置が接続されるので、突入過電流を抑制することができる。これにより、上述した過電圧抑制回路１０２に突入過電流抑制回路としての機能を備えさせることができ、装置の大型化を避けつつも、突入過電流を抑制することができる。その結果、図示しない上位系統に接続される過電流継電器の誤作動防止や、突入過電流による負荷装置の故障や機能喪失の防止に寄与できる。
【００４７】
＜他の実施形態＞
なお、本発明は前記実施形態に限られるものではない。
【００４８】
前記実施形態の過電圧抑回路１０２は、主スイッチ１０１がターンオフした後、第１補助スイッチ１１のターンオフと同時のタイミングで第２補助スイッチ２３がターンオンすることにより、第１状態から第２状態に直接切り替わるものであったがこれに限らない。例えば、第１補助スイッチ１１のターンオフと第２補助スイッチ２３のターンオンとが時間差で行われることで、第１状態から第２状態になるように構成されてもよい。
また同様に、過電圧抑制回路１０２は、主スイッチ１０１がターンオンした後、第１補助スイッチ１１のターンオンと第２補助スイッチ２３のターンオフが時間差で行われることで、第２状態から第１状態になるように構成されてもよい。
【００４９】
前記実施形態では、第１分圧抵抗器２１の抵抗値Ｒ１と第２分圧抵抗器２２の抵抗値Ｒ２が同じ大きさであったが、これに限らず異なる大きさであってもよい。バリスタ１２に並列接続される第２分圧抵抗器２２の抵抗値Ｒ２が、バリスタ１２に直列接続される第１分圧抵抗器２１の抵抗値Ｒ１よりも小さい方が好ましい。このようなものであれば、主スイッチ１０１がオフ時の第２状態においてバリスタ１２に印加される電圧Ｖ２をより小さくでき、バリスタ１２の選定において最大許容回路電圧の制約をより緩和し、バリスタ１２の選定範囲をより拡大することができる。
【００５０】
他の実施形態の分圧回路部２０は、第２補助スイッチ２３の正側に第２分圧抵抗器２２が配置され、第２分圧抵抗器２２の正側に第１分圧抵抗器２１が配置されていてもよい。
また、第２補助スイッチ２３は、第１補助スイッチ１１と並列接続されるように、分圧点Ｐよりも第１分圧抵抗器２１側に配置されていてもよい。
【００５１】
他の実施形態の過電圧抑制回路１０２は、主スイッチ１０１をターンオフした後、転流回路部１０に転流された電流の値が所定値以下（例えば零電流又は零電流付近）になったタイミング、又はバリスタ１２に印加される電圧の値が所定値以下になったタイミングで第１状態から第２状態に切り替わるように構成されていてもよい。
また過電圧抑制回路１０２は、主スイッチ１０１をターンオンした後、主スイッチ１０１の両端電圧が所定値以下になったタイミングで、第２状態から第１状態に切り替わるように構成してもよい。
【００５２】
また、過電圧抑制回路１０２としては、必ずしもダイオード３０を備えていなくてもよい。
この場合には、バリスタ１２が第１補助スイッチ１１の正側に配置されるとともに、第２補助スイッチ２３及び第２分圧抵抗器２２が、分圧点Ｐを挟んで第１分圧抵抗器２１の正側に配置されてもよい。
【００５３】
非線形素子１２としては、酸化亜鉛バリスタに限らず、例えば一対のツェナーダイオードを向かい合わせたものや、その他の構成のものを用いてもよい。
【００５４】
主スイッチ１０１、第１補助スイッチ１１及び第２補助スイッチ２３は、半導体スイッチに限らず、機械式のスイッチでもよい。
【００５５】
その他、本発明は前記実施形態に限られず、その趣旨を逸脱しない範囲で種々の変形が可能であるのは言うまでもない。
【符号の説明】
【００５６】
１００・・・直流遮断装置
２００・・・電源
３００・・・主回路
１０１・・・主スイッチ
１０２・・・過電圧抑制回路
ＳＷ  ・・・ラインスイッチ
１０  ・・・転流回路部
１１  ・・・第１補助スイッチ
１２  ・・・バリスタ（非線形素子）
２０  ・・・分圧回路部
２１  ・・・第１分圧抵抗器
２２  ・・・第２分圧抵抗器
２３  ・・・第２補助スイッチ
３０  ・・・ダイオード
Ｐ    ・・・分圧点
Ｑ    ・・・接続点
【図１】
2020036307.tif 000003
【図２】
2020036307.tif 000004
【図３】
2020036307.tif 000005
【図４】
2020036307.tif 000006
【図５】
2020036307.tif 000007